(57)【特許請求の範囲】
【請求項１】
測定された呼吸終期の呼吸気体の濃度値を動脈内の前記呼吸気体の濃度値の推定に用いるときの信頼性を示す方法であって、
前記呼吸気体の濃度値を異なる時刻において複数測定し、
前記呼吸気体の換気に関する値を異なる時刻において複数測定し、
測定された前記呼吸気体の複数の濃度値から呼吸終期の動脈内の前記呼吸気体の濃度値を推定し、
前記呼吸気体の換気に関する値の履歴を評価して換気安定性の程度を決定し、
換気安定性の前記程度を用いて推定された前記呼吸終期の動脈内の呼吸気体の濃度値の信頼性の推定を提供する、方法。
【請求項２】
前記呼吸終期の動脈内の呼吸気体の濃度値の推定が、少なくとも部分的に、前記呼吸気体の換気に関する値に基づく、請求項１に記載の方法。
【請求項３】
測定される前記呼吸気体の濃度値が、二酸化炭素、酸素、亜酸化窒素、一酸化窒素及び麻酔薬又はそれらの任意の組み合わせの濃度値である、請求項１に記載の方法。
【請求項４】
測定される前記呼吸気体の換気に関する値が、前記呼吸気体の流量、呼吸された前記呼吸気体のボリューム、前記呼吸気体の圧力、前記呼吸気体の温度及び前記呼吸気体の湿度又はそれらの任意の組み合わせである、請求項１に記載の方法。
【請求項５】
測定された呼吸終期の呼吸気体の濃度値を動脈内の前記呼吸気体の濃度値の推定に用いるときの信頼性を示す方法であって、
前記呼吸気体の濃度値を異なる時刻において複数測定し、
前記呼吸気体の流量を異なる時刻において複数測定し、
前記流量から呼吸された前記呼吸気体の複数のボリューム値を決定し、
測定された前記呼吸気体の複数の濃度値から呼吸終期の動脈内の前記呼吸気体の濃度値を推定し、
前記流量及びボリューム値の履歴を評価して換気安定性の程度を決定し、
換気安定性の前記程度を用いて推定された前記呼吸終期の動脈内の呼吸気体の濃度値の信頼性の推定を提供する、方法。
【請求項６】
前記呼吸終期の動脈内の呼吸気体の濃度値の推定が、少なくとも部分的に、前記流量及びボリューム値に基づく、請求項５に記載の方法。
【請求項７】
測定される前記呼吸気体の濃度値が、二酸化炭素、酸素、亜酸化窒素、一酸化窒素及び麻酔薬又はそれらの任意の組み合わせの濃度値である、請求項５に記載の方法。
【請求項８】
測定された呼吸終期の呼吸気体の濃度値を動脈内の前記呼吸気体に御濃度値の推定に用いるときの信頼性を改善する装置であって、
前記呼吸気体の濃度値を異なる時刻において複数測定する手段、
前記呼吸気体の換気に関する値を異なる時刻において複数測定する手段、
測定された前記呼吸気体の複数の濃度値から呼吸終期の動脈内の前記呼吸気体の濃度値を推定する手段、
前記呼吸気体の換気に関する値の履歴を評価して換気安定性の程度を決定する手段、及び
換気安定性の前記程度を用いて推定された前記呼吸終期の動脈内の呼吸気体の濃度値の信頼性の推定を提供する手段、
を有する装置。
【請求項９】
前記呼吸終期の動脈内の呼吸気体の濃度値を推定する手段が、少なくとも部分的に、前記呼吸気体の換気に関する値に基づいて前記呼吸終期の動脈内の呼吸気体の濃度値を推定する、請求項８に記載の装置。
【請求項１０】
測定される前記呼吸気体の濃度値が、二酸化炭素、酸素、亜酸化窒素、一酸化窒素及び麻酔薬又はそれらの任意の組み合わせの濃度値であり、測定される前記呼吸気体の換気に関する値が、前記呼吸気体の流量、呼吸された前記呼吸気体のボリューム、前記呼吸気体の圧力、前記呼吸気体の温度及び前記呼吸気体の湿度又はそれらの任意の組み合わせである、請求項８に記載の装置。
【発明の詳細な説明】
【技術分野】
【０００１】
本発明は、信頼性が高い呼吸終期の二酸化炭素(CO2)、呼吸終期の酸素(O2)又は他の気体の推定を提供するための方法及び装置に関する。
【背景技術】
【０００２】
呼吸気体モニタリングシステムは、一般的に気体センシング、測定、処理、給送及び表示機能を有する。そのようなシステムは、迂回システム(すなわち副流システム)であるか、又は迂回しないシステム(すなわち主流システム)のいずれかであると考えられている。迂回気体測定システムは、一般的に呼吸回路又は患者の気道であるサンプリング位置から、サンプリングチューブを通して気体センサへと、サンプリングされた気体の一部を輸送し、そこで気体の成分が測定される。迂回しない気体測定システムは、呼吸回路又は気道から離れて気体を輸送せず、呼吸回路中を通過している気体成分を測定する。
【０００３】
従来の迂回しない気体測定システムは、気体センシング、測定、及び、検出された又は測定された信号(例えば電圧)をホストシステムによって用いられることができる値に変換するために必要とされる信号処理を含む。気体測定システムは、呼吸回路に配置される試料セルと連通して、測定される気体の特性に対応する信号を出力するために必要とされるコンポーネントを有する。試料セルを呼吸回路に直接配置することで、気道内の測定される気体(例えば二酸化炭素又は酸素) の分圧をリアルタイムに反映する「はっきりとした」波形がもたらされる。試料セル(キュベット又は気道アダプタとも呼ばれる) は、呼吸気体ストリーム中に設置されて、迂回気体測定システムにおいて必要とされるような気体サンプリング及び捕集の必要性を不要にする。
【０００４】
従来の迂回気体測定システムは、呼吸回路中のアダプタ(例えば気管内チューブ又はマスクコネクタのT継手)に接続される比較的長いサンプリング用プラスチックチューブ、すなわち経鼻カテーテルを利用する。サンプル気体は、50〜250ml/minの範囲のサンプル流量で、サンプリングチューブを通して呼吸回路又はサンプル位置から、モニタの中のサンプルセルへと、連続的に吸引される。呼吸中のサンプリングポートの位置は多様であり、気管内チューブに接続されるL字継手からY字管コネクタまでのどこにでも及ぶことができる。
【０００５】
迂回する及び迂回しない気体測定システムの両方は、サンプルセル中を通過するサンプリングされた気体中の気体成分のうちの少なくとも一つの濃度及び/又は分圧を測定するセンサを含む。臨床的に重要な最も一般に測定される気体のうちの２つは、二酸化炭素及び酸素である。迂回する及び迂回しない気体測定システムの両方は、気体(例えば二酸化炭素及び酸素) の成分を測定するためにセンサを利用する。
【０００６】
これらの気体を測定するために、電気光学アセンブリが、しばしば使用される。二酸化炭素センサ及び他の複数の気体センサの場合では、これらのアセンブリは、二酸化炭素の吸収バンドを持つ赤外線を放射する光源を含む。赤外線は、通常、分析されている気体ストリームの流動経路に垂直である経路に沿って透過する。気体ストリーム中の気体中を通過した透過放射線を受け取って測定するために、光検出器が配置される。サンプル気体内の二酸化炭素は、いくつかの波長でこの放射線を吸収して、他の波長を通過させる。透過放射線は信号に変換され、それからプロセッサは二酸化炭素の分圧を計算する。酸素センサの場合には、電気化学又は蛍光に基づく技術がしばしば使用される。
【０００７】
二酸化炭素及び酸素は、気体留分(FCO2及びFO2)又は分圧(PCO2及びPO2)として表現される。カプノグラフィ(capnography)及びオキシグラフィ(oxygraphy)は、無条件に用いられる場合、時系列カプノグラフィ及びオキシグラフィを指す。カプノメトリ(capnometry)に加えて、カプノグラフィは、呼吸サイクルの経過にわたる瞬間的な二酸化炭素濃度のプロットを含む。このプロットから、周期的な変化が視覚化されることができる。
【０００８】
一例が図1に示される教科書的なカプノグラム2において、カプノグラムは、「呼気」セグメント4及び「吸気」セグメント6の、２つのセグメントを有する。呼気セグメントは、変化する上向き勾配5aから成り、一定又はわずかな上向き勾配5bで横ばいになる。吸気セグメントは、急な下り勾配7aから成り、無視できる吸気二酸化炭素の平坦域7bに落ちつく。しかしながら、呼息の終わりの二酸化炭素の分圧として一般に理解される二酸化炭素の呼吸終期の分圧以外の、呼吸頻度及び吸気二酸化炭素レベルの測度だけが報告される。これは、呼気セグメントと吸気セグメントとの間の遷移だけが、通常、カプノグラムから正確に説明されることができるからである。
【０００９】
その場合にも、再呼吸が実質的にない場合にだけ、この遷移は、流動波形によって詳細に描写されるような吸息の実際の開始の時刻に対応する。呼息の終わりに吸気気体によって満たされる解剖学的デッドスペースの存在のために、吸息と呼息との間の遷移は容易に識別されることができない。オキシグラム(oxygram)はカプノグラムほど臨床的に広く使用されていないが、オキシグラムがカプノグラムの反転バージョンであるとみなされることができることを理解すれば、上で論じられる同じ問題がオキシグラムにあてはまる。
【００１０】
二酸化炭素に加えて流動が測定される場合、体積測定カプノグラムが決定されることができる。同様に、酸素に加えて流動が測定される場合、体積測定オキシグラムが決定されることができる。図2は、体積測定カプノグラムの３つのフェーズを示す。フェーズIは、二酸化炭素のないボリュームから成り、フェーズIIは、肺胞を徐々に空にすることから生じる急速に上昇する二酸化炭素濃度によって特徴づけられる遷移領域から成る。フェーズII及びIIIは共に、呼吸（有効一回呼吸量Vteff）の二酸化炭素含有部分である。フェーズIII (肺胞平坦域) は、一般的に、上昇するPCO2を示す正の勾配を持つ。体積測定カプノグラムのこれらの3つのフェーズを用いて、生理的に重要な測度（例えば、各々のフェーズのボリューム、フェーズII及びIIIの勾配、二酸化炭素排出、並びに、デッドスペース一回呼吸量及び解剖学的デッドスペースと生理学的デッドスペースの比）が、決定されることができる。
【００１１】
患者に対する機械的ベンチレーションのレベルを設定する際の目標の一つは、動脈内の二酸化炭素濃度(PaCO2)の所望の濃度に達して、それを維持することである。PaCO2測定に対するリアルタイムアクセスが容易でないので、カプノグラムからの推定が代わりの測度を取得するのに用いられる。肺の分路のために、すなわち、右心の心臓出力の一部が、ガス交換に関与することなく左心房に到達するので、カプノグラムから取得されることができるPaCO2の最も精密な代用は、肺胞CO2濃度(PACO2)である。
【００１２】
呼吸終期のCO2分圧(PetCO2)(通常呼吸終期の二酸化炭素と呼ばれる)が、例えば、患者の換気状態を評価するために臨床的に用いられて、上記したように、PaCO2の代わりとして一部で用いられた。同様に、O2の呼吸終期の分圧(PetO2)(呼吸終期の酸素と呼ばれる場合がある)も用いられる。
【００１３】
医学的な文献には、PetCO2の変化とPaCO2の変化との間の関係同様に、PetCO2とPaCO2との間の関係に関して矛盾する論文が数多くある。一方では、Nangia等は、「ETCO2は、新生児のほとんどの臨床的状況において、PaCO2と密接に相関する。」ことを示す。同様に、Wu等は、「我々は、NICUにおいてPaCO2を測定する代わりに、PetCO2をモニタリングするために主流カプノグラフィを使用すること勧める。」と述べている。他方では、Russell他は、肺換気を行われた成人を研究して、「P(a-et)CO2振幅における傾向は信頼性が低く、PetCO2及びPaCO2における一致した方向変化は定かではない。」ことを示した。
【００１４】
研究者は、PaCO2の予測を改善するための操作を検討した。Tavernier他は、胸腹部食道切除を受けている患者における長期にわたる呼気の操作がPetCO2からのPaCO2の予測を改善するかどうかを研究し、これらの操作は推定を改善しないと結論付けた。呼吸終期のCO2は動脈内PCO2の代わり又は動脈内PCO2の変化として用いられることができないと、救命救急診療医師の間で一般に信じられている。さらに事態を複雑にするが、チャン他は、「主流PetCO2が副流測定より正確なPaCO2の推定を提供した。」ことを示した。
【発明の概要】
【発明が解決しようとする課題】
【００１５】
呼吸終期のPCO2が動脈内CO2の代わりとして信頼できるように用いられることができる場合、動脈内血液サンプリングは減らされることができ、現在は断続的血液サンプリングを使用するアプリケーションは、より臨床的に許容できるようになり、例えばベンチレーション(特に非侵襲性のベンチレーション)の閉ループ制御のようなアプリケーションはより現実的になる。したがって、信頼性のための技術及び/又は呼吸終期のPCO2推定の信頼性を示すことが望まれる。
【課題を解決するための手段】
【００１６】
したがって、従来の呼吸終期のCO2測定技術の欠点を克服する呼吸終期の気体値の信頼性を示す方法を提供することが本発明の目的である。この目的は、呼吸終期の気体値の信頼性を示す方法を提供することによって、本発明の一つの実施の形態に従って達成され、当該方法は、複数の気体濃度値を測定すること、複数の換気値を測定すること、前記気体濃度値から呼吸終期の気体値を決定すること、前記換気値から換気安定性の程度を決定すること、及び、換気安定性の前記程度を用いて呼吸終期の気体値の信頼性の推定値を提供することを含む。
【００１７】
従来の呼吸終期のCO2測定技術の欠点を克服する呼吸終期の気体値の信頼性を示す装置を提供することが本発明の他の目的である。この目的は、複数の気体濃度値を検出するための手段、複数の換気値を検出するための手段、前記気体濃度値から呼吸終期値を決定するための手段、前記換気値から換気安定性の程度を決定するための手段、換気安定性の前記程度を用いて呼吸終期の気体値の信頼性の推定値を提供するための手段を有する装置を提供することによって、本発明の一つの実施の形態によって達成される。
【００１８】
本発明のこれらの及び他の目的、特徴及び特性は、操作方法、構造の関連素子の機能、パーツの組み合わせ及び製造の経済と同様に、その全てがこの明細書の一部を形成する添付の図面を参照して、以下の説明及び添付の特許請求の範囲の考察により明らかになる。様々な図面において、同様の参照番号は対応する部分を指す。しかしながら、図面は図解及び説明のみを目的とするものであり、本発明の限定を定義するものとして意図されていないことが、明確に理解されるべきである。明細書及び請求の範囲において、単数形の名詞は、文脈において別途明確に述べられない限り、その名詞が指すものが複数含まれることを含む。
【図面の簡単な説明】
【００１９】
【図１】例示的な時間ベースのカプノグラムのグラフ。
【図２】例示的な体積測定カプノグラムのグラフ。
【図３】本発明の例示的な実施の形態による気体測定システムの模式図。
【図４】患者の流動、圧力及びCO2測定値を示すグラフ。
【図５】長い呼息休止を伴う例示的な時系列カプノグラム。
【図６】図5の波形の例示的な体積測定カプノグラム。
【図７】本発明のプロセスを実施するのに適した例示的な装置の概略図。
【図８Ａ】シミュレートされた流動、ボリューム及び肺胞CO2濃度のプロット。
【図８Ｂ】シミュレートされた流動、ボリューム及び肺胞CO2濃度のプロット。
【図９Ａ】マウスピースを用いて記録される時系列カプノグラム。
【図９Ｂ】フェイスマスクを用いて記録される時系列カプノグラム。
【図１０】体積測定カプノグラム及び関連する累乗回帰近似曲線。
【発明を実施するための形態】
【００２０】
本発明は、(a)呼吸終期の気体値の明確な定義の欠如、(b)呼吸終期の気体値が、安定した換気パターン及び不安定な換気パターンの両方において、動脈内気体値にどのように関連するか、並びに(c)いつの呼吸終期の気体値が動脈内及び/又は肺胞の気体値の信頼できる相関物あるか否かの理解を含む、今までの研究に関する既知の問題に対処する。本発明は、より信頼できる呼吸終期の気体値を提供する必要性に対処する。大部分の当面の議論が二酸化炭素(CO2)に関して行われるが、本願明細書において説明される方法は同様に、呼吸気体(例えば酸素)、亜酸化窒素、一酸化窒素及び他の気体(例えば麻酔薬)を含む（但しこれらに限られない）他の気体に適用されることに留意されたい。より信頼できる呼吸終期の気体値を決定するために、適切に呼吸終期の気体値を詳細に描写して、その推定値の信頼性を決定することが重要である。
【００２１】
本発明で使用するのに適した気体測定システム10の例示的な実施の形態が図3に示される。システム10の図示された例示的な実施の形態は、圧力差流量計12、流動信号ユニット16、気体センサ14、CO2信号ユニット18、プロセッサ又は処理ユニット20及びデータディスプレイ22を有する。システム10は、単独で又は患者の機械的ベンチレーションと組み合わせて用いられることができる。それは、スタンドアロンモニタリングシステムであるか、又はベンチレータと一体化されることができる。
【００２２】
呼吸流動測定のための例示的な装置は、呼吸流動を示す圧力差を提供する圧力差流量計12であり、圧力差は、流動信号ユニット16中の圧力変換器を介して、呼吸流動と圧力差との間の関係を表わす電気信号に変換される。例示的な圧力差流量計は、Respironics社(Wallingford, コネティカット州)によって製造及び販売される。しかしながら、他の流動測定技術（例えば、光学的技術、羽根、音波技術）に基づく流動センサを含む任意の流量測定装置が利用されることができる。
【００２３】
気体サンプル中の二酸化炭素含有量を測定することが可能なセンサは周知である。二酸化炭素含有量を測定するための例示的な装置は、呼気のサンプルの%CO2(又はpCO2)を表すデータを示す非分散赤外線放射線を使用するタイプの気体分析器である。電気化学的技術、ラマン分光及び質量分光のような、二酸化炭素の濃度を測定するのに用いられる他の技術も、本発明において用いられることができる。患者呼気中の二酸化炭素含有量を測定することが可能な例示的な気体センサ14は、商品名CAPNOSTAT(R)でRespironics社(Wallingford, コネティカット州)から入手可能である。しかしながら、気道において(迂回せず)、又はサンプルを取り出すことによって(迂回する)、二酸化炭素含有量を測定する他の方法が、本発明において用いられることができることが理解されるべきである。
【００２４】
図4は、ベンチレータと患者との間の非同期性を伴う２回の「呼吸」に対する時間の関数としての流動24、圧力26及びCO228のプロットによって反復可能かつ信頼できる呼吸終期値を決定する際の問題のうちの一つを示す。PetCO2の測定される値は、PetCO2値がどのように定義されるかに依存する。例えば、呼吸終期のCO2がどのように決定されるかによって、それは、27, 30又は31 mmHgとして報告される可能性がある。図4において、位置82のPetCO2は27 mm Hgであり、位置84では31mm Hgであり、そして位置86では30mm Hgである。流動波形によって定義される呼吸の終わり（位置82）は、27 mm Hgの呼吸終期値をもたらす。しかしながら、カプノグラムからの明らかな呼息と吸息との間の遷移位置86を使用すると、30mmHgのPetCO2をもたらす。他方では、最も大きな値が用いられる場合(位置84)、31mmHgのPetCO2が得られる。
【００２５】
従来は、時間又は体積測定カプノグラムのフェーズIIIの終期に向けての濃度は、肺胞性CO2濃度(すなわちPetCO2)の良好な推定量とみなされ、通常は呼吸ごとに決定される。先に述べたように、PetCO2を決定するための最も単純なアプローチは、一般的にフェーズIIIの間に発生する最大値を単に使用することである。極値がアーチファクト又は雑音に対してしばしば敏感であるので、他のアプローチはフェーズIIIの最後の部分にわたる平均を使用する場合があり、ここで、「最後の部分」は、時間又は呼気ボリュームに関して定義されることができる。
【００２６】
呼吸終期の気体値が簡単かつ繰り返し決定されることができるように、本発明は、これらの他の技術と異なり、とりわけ有意な再呼吸が存在する場合に、より適切に呼息の終了を詳細に描写するために流動及び/又は圧力波形を使用することを意図する。同様に、ボリュームが流動の積分であるので、体積測定カプノグラムも同様に、より適切に呼息の終了を詳細に描写するのに用いられることができる(下記参照)。流動波形又は代用物が利用可能でない場合、本発明は、より適切に呼息の終了を詳細に描写するために、波形形状解析を使用することを意図する。
【００２７】
図5及び6は、時系列カプノグラムのみから呼吸終期の値を取得する際の潜在的な困難を示す時系列及び体積測定カプノグラムである。図5は、1:8〜1:10のI:E比による長い呼気休止を伴う新生児においてしばしば確認される現象を図示し、その間、非常に軽微な吸息労力が行われ、解釈するのが難しいカプノグラムをもたらす。そのような時系列カプノグラムを調査することは、呼吸終期値を決定することを非常に難しくする。しかしながら、図5及び6における時系列カプノグラムと体積測定ベースのカプノグラムとを比較することは、若干の明確性を可能にする。肺の換気と血流との関係は、フェーズIIIの勾配の傾斜が通常明確でなく、誤解をまねく可能性がある時系列カプノグラムの勾配におけるよりも、体積測定カプノグラムによるフェーズIIIの勾配において正確に反映されることに留意すべきである。これは、呼気のわずかなボリューム(おおよそ最後の15% )がしばしば呼息のために利用可能な時間の半分を占めて、CO2濃度における似かよった変化が、時系列カプノグラムにおいて、体積測定カプノグラムにおけるよりも長い期間にわたって分布するからである。
【００２８】
図6において、呼息の間の呼気のボリューム v.s. CO2の分圧のプロットは明らかに平坦域90を示し、それから様々な方法を用いて呼吸終期値が決定されることができる。体積測定カプノグラフィと関連したパラメータの全てが同様に決定されることができる。例えば、呼吸終期の気体値は、ボリュームの最後のX%(例えば5又は10%)に対する平均PCO2値を計算し、(Weibelモデルのように生理学に基づいた、又は実験に基づいた)モデルに対して曲線又はその一部をフィッティングすることによって決定されることができる。濃度-ボリューム曲線をフィッティングするためにモデルベースのアプローチを使用することは、潜在的に臨床的に重要な値が決定されることを可能にする。
【００２９】
すでに概説された課題に加えて、PetCO2値の決定及び臨床的使用における主要な課題のうちの一つは、PetCO2が肺胞性CO2濃度(PACO2)の平均値を表すという暗黙の仮定に由来する。CO2が呼息の間に血液から肺胞性気体フェーズに移り続けるので、肺胞性CO2濃度は呼息を通じて上昇する。吸息の間、CO2を含まない気体は、肺胞の気体を希釈する役目をして、肺胞のCO2濃度は低下する。呼吸流動波形(例えば、一回呼吸量、吸息時間と呼息時間の比)の形状、肺の毛細管血液流動、静脈CO2濃度、デッドスペースの量及び直列肺胞デッドスペースは、肺胞CO2濃度波形の特定の形に影響を及ぼす。この形状は、次に、平均肺胞CO2濃度に影響を及ぼす。肺を出る呼気のボリュームのまさに最後の部分は、気体センサ14に決して到達せず、解剖学的デッドスペース及び装置の(直列的)デッドスペース中にとどまる。
【００３０】
シミュレートされた流動波形202、ボリューム波形204及び肺胞CO2濃度波形206を示す図8A及び8Bに示されるシミュレーションは、これがどのようにPetCO2に影響を及ぼす可能性があるか、及び平均肺胞CO2濃度に対するその関係を図示する。肺胞CO2濃度グラフ206及び306におけるライン210及び310は、平均肺胞濃度を示す。肺胞CO2濃度グラフ206及び306の太いライン220及び320は、カプノグラムの形で気体センサ14によって測定される肺胞波形の部分を図示する。従来は、太くされたライン220及び320の端部221及び321が、PetCO2として報告される。
【００３１】
図8Aは、肺胞と気体センサ14との間に直列的デッドスペースがない場合に観測される波形を図示する。結果として生じるPetCO2値(端部221)は、このシミュレーションにおいて平均肺胞CO2を過大評価する。図8Bは、通常の直列的デッドスペース(例えば150ml)が肺胞と気体センサ14との間にある場合に観測される波形を図示する。結果として生じるPetCO2値(端部321)は、このシミュレーションにおいて平均肺胞CO2を過小評価する。肺胞CO2濃度グラフ206及び306のステップサイズは、おおよそ4mmHgである。より大きなデッドスペース及びより小さな一回呼吸量は、PetCO2と平均肺胞CO2濃度との間の差分を増加させる場合がある。さらに、この効果は、自発的に呼吸する患者の一回呼吸量の呼吸間変動に起因して、PetCO2信号中の雑音を増加させる場合がある。
【００３２】
(気管内チューブの代わりに)フェイスマスクで呼吸する患者では、カプノグラムはさらに、フェースマスクボリュームの"不鮮明化"効果によって影響を受け、その上、小さな又は変動する一回呼吸量によって悪化する。この"不鮮明化"効果は、図9A及び9Bに示される。図9Aでは、患者はマウスピースによって呼吸しており、90°より僅かに大きいだけであるカプノグラム405のアルファ角410をもたらす。加えて、カプノグラム405は、比較的平坦なフェーズIIIを持つ。図9Bでは、同じ患者がフェイスマスクを通して呼吸しており、角度410より鈍角であるカプノグラム415のアルファ角420をもたらす。加えて、フェイスマスクのデッドスペースボリュームにおける希釈及び混合に主に起因して、カプノグラム415のフェーズIIIは、カプノグラム405よりも丸みを帯びている。一般に、PetCO2と平均肺胞CO2濃度との間の差分は、重大な換気血流異常を伴わないほとんどの被検者において比較的小さい(例えばおよそ2又は3mmHg程度)。しかしながら、PetCO2が更なる情報を抽出するために用いられる場合、例えば部分的なCO2再呼吸操作によって、これらのわずかな差分が有意になる可能性がある。
【００３３】
本発明は、数学関数を用いて呼気の体積測定カプノグラムを近似することを意図する。(生理学的な及び計測による)大きな雑音の存在下と同様に、上で示されたような悪条件の下でカプノグラムを取得しようとする場合に、これは特に有用である。呼気の体積測定カプノグラムを近似するのに用いられることができる例示的な数学関数は、以下の形態のべき乗関数である。
invCO2= f x VEn
ここで、invCO2= CO2 - maxCO2、CO2は気体センサによって測定される呼気CO2、VEは呼気のボリューム、f及びnは近似パラメータ、そして、maxCO2はもう一つの近似パラメータである一定のCO2値である。
【００３４】
近似パラメータf及びnは、自然対数(invCO2)対自然対数(VE)の線形回帰を含む既知の数値的方法によって見つけることができる。近似パラメータmaxCO2は、既知の探索法を繰り返し用いて又は従来の線形回帰よりも一般的な最小自乗アルゴリズムを用いて見つけることができる。
【００３５】
図10は、累乗回帰曲線520によって近似される元のカプノグラム510の例を示す。複数のアプローチが、この累乗回帰近似からPetCO2相当値を決定するために意図される。一般に、PetCO2値は、一回呼吸量が大きな場合に肺胞CO2濃度をより忠実に表すはずである。一回呼吸量が小さな場合には、カプノグラム値が大きな呼気ボリュームにおいて持つであろう値に外挿するために、累乗回帰近似が用いられることができる。あるいは、累乗回帰近似は、全ての呼吸に対して、それらのボリュームの大小にかかわらず、一つの一定の呼気ボリュームにおけるPetCO2濃度を報告するように用いられることができる。
【００３６】
本発明は、モデル派生PetCO2値が、従来通りに決定されたPetCO2値を肺の毛細管血液流動の示差CO2フィック決定に置き換えることと同様に、従来のCO2モニタにおいて従来通りに決定されたPetCO2値を置き換えるために用いられることができることを意図する。上で説明されたべき乗関数以外の他の近似関数も同様に意図される。近似パラメータは、線形回帰、最小二乗アルゴリズム、人工ニューラルネットワーク及び反復探索法（但しこれらに限られない）を含む、従来技術において周知の方法によって見つけることができる。近似パラメータを見つけ出すためのアルゴリズムはさらに、より速く、計算コストをかけずに、より正確に、現在の呼吸のための近似パラメータを見つけ出すために、以前の呼吸からの近似結果を考慮することができる。
【００３７】
本発明は、いつの呼吸終期CO2が（それがどのように決定されたとしても）、動脈内CO2の信頼できる現実的な推定値であるか、及び、いつの呼吸終期CO2が動脈内CO2の信頼できる現実的な推定値ではないかの、より良好な定義を提供することを意図する。これは、患者の心肺システムの生理学的状態と、患者の肺及び血液貯蔵にかなり影響を及ぼした可能性がある換気の最近のパターンの両方に関連している可能性がある。したがって、障害の程度を評価するための生理学的/肺胞性Vd/Vt又は代用物の推定及びCO2貯蔵に対する外乱の程度の評価は、呼吸終期のCO2値がより高い確かさで決定されて表示されることを可能にする。後で更に詳細に論じられる図7は、いつの呼吸終期CO2が動脈内CO2の信頼できる現実的な推定値であるか否かの指標を提供するための例示的なプロセス及び装置を図示する。
【００３８】
本発明はさらに、生理学的障害の程度を決定することを意図する。生理学的Vd/Vtは、好ましくは、CO2の肺胞性分圧(PACO2)を使用して(Enghoff修正を伴わずにその定義で)推定される。PACO2は、ニューラルネットワーク、遺伝的アルゴリズム及び他のアプローチ又はアプローチの組み合わせと同様に、体積測定カプノグラムに対するモデルの適用によって推定されることができる。米国特許番号5,632,281は、肺胞性推定に用いられることができる動脈内推定のためのアプローチを説明する。VDalv/VTalvが同様に用いられることができ、そしてHardman他がこの比を推定するための方法を説明する。
【００３９】
本発明はさらに、外乱の程度を決定することを意図する。外乱の程度すなわち換気安定性は、異なる方法によって評価されることができる。例えば、CO2貯蔵に対する外乱の程度の評価は、「安定性」の期間をより適切に決定するために(モデルを用いた)換気の測定によって決定されることができる。CO2貯蔵を推定する方法は、米国特許第6,955,651号('651特許)に見つけ出されることができる(その内容が参照により本明細書に組み込まれる)。一回呼吸量は、解剖学的デッドスペースに対して十分なサイズでなければならない。機能性解剖学的デッドスペースは、ファウラー方法のような従来技術における既知の方法によって推定されることができる。呼吸終期値の信頼性は、呼吸終期の測定が行われる呼吸に対して呼気の流量に基づく基準を適用することによって、さらに高められる。これらの基準の適用は、信頼できる呼吸終期値の決定を可能にするのを助ける。
【００４０】
上記したように、図7は、本発明の原理による気体測定システム100の例示的かつ模式的な実施の形態を図示する。気体測定システム100は、呼吸終期の気体濃度の信頼できる推定値を提供するのに用いられるシステムのコンポーネントを図示する。(可換に用いられる)気体濃度又は分圧値は、気体測定コンポーネント110によって決定される。これは、連続的又は断続的に決定されることができる。従来の気体濃度コンポーネントは、25〜100サンプル/secのサンプリングレートでサンプリングされるデータを提供した。気体測定コンポーネント110は、例えば、上記の図1における気体センサ14及びCO2信号ユニット18に対応する。
【００４１】
気道において又は他の技術を介して測定される換気値は、換気測定コンポーネント120によって決定される。換気値は、流動、ボリューム、圧力、温度及び湿度又はそれらの任意の組み合わせを含むが、これらに限定されるものではない。換気値は、連続的又は断続的に決定されることができる。換気測定コンポーネント120は、例えば、圧力差流量計12及び流動信号ユニット16に対応する。例示的な実施の形態において、換気に関連する値は、流動、ボリューム又はその代用物の測定によって決定される。企業(例えばAndromed)由来の外部表面センサからの音響測定から導き出される流動の代用物が意図される。
【００４２】
気体測定コンポーネント110及び換気測定コンポーネント120からの気体濃度値は、呼吸終期気体測定コンポーネント130によって受け取られる。本発明は、図1の処理ユニット20によって呼吸終期気体測定コンポーネント130を実装することを意図する。受け取られた換気値の特性は、呼吸終期気体測定コンポーネント130によって、気体濃度値からより確固たる呼吸終期の気体値を導き出すのに用いられる。例えば、気道中の呼気流動から吸気流動への変化を示す、受け取られた換気値における変化は、呼息の終了を時刻で詳細に描写するのに用いられる。これは、流動、ボリューム又はその代用物の値から達成されることができる。流動に対して、呼気流動(又は休止インターバルの場合のゼロ流動)から吸気流動へのゼロ交差の時刻が用いられることができる。ボリュームに対して、ボリュームが増加（又は横ばいのボリューム）から減少に転じる時刻が用いられることができる。同様に、音響測定に対して、呼気流動から吸気流動への変化は、既知の方法によって決定されることができる。
【００４３】
換気測定コンポーネント120からの値はさらに、換気安定性測定コンポーネント140によって受け取られる。本発明はさらに、図1の処理ユニット20によって換気安定性測定コンポーネント140を実装することを意図する。換気安定性は、換気値の履歴を評価して、その安定性を評価することによって決定されることができる。評価のための期間は、懸案の気体の気体貯蔵の大きさによって変動する。CO2及びO2に対して、考慮される気体貯蔵は、肺貯蔵及び血液貯蔵の両方である。評価される時間インターバルは、患者の大きさに基づく経験則と同様に、'651特許に開示されるような方法によって推定されることができる貯蔵の大きさに基づく。評価のための期間にわたる換気値のばらつきを決定する例示的な方法は、一回呼吸量値の分布の分析を含み、有意な過換気又は換気低下の期間が評価期間の間に観測される場合には、呼吸終期値は信頼できないと考えられる。本発明はさらに、換気安定性測定コンポーネント140が、気体測定コンポーネント110から値を受け取ることを意図する。
【００４４】
換気安定性測定コンポーネント140からの換気安定性及び呼吸終期測定コンポーネント130からの呼吸終期値の推定値は、決定支援システム150によって受け取られる。本発明はさらに、図1の処理ユニット20によって決定支援システム150を実装することを意図する。他の基準と同様にこれらの値を使用することにより、決定支援システム150は、呼吸終期値の信頼性を決定する。信頼性は、単に換気安定性の閾値に基づくことができ、数値的に又はグラフでホストシステムのディスプレイに示されることができる。呼吸終期の数字は、その信頼性を示すために色分けされていることができる（例えば、「信頼できない」、「疑わしい」、「信頼できる」のそれぞれは、赤、黄色、緑に色分けされる）。ユーザ又は他のシステムからの入力に基づいて、決定支援システム150は、ルールに基づくシステムとして構成されることができる。例えば、疾患と同様に患者の年齢は、生理学的境界(あいまいな又は難しい境界)が呼吸終期値の信頼性を示すのに用いられることを可能にする。呼吸終期値の信頼性を決定するために、決定支援システム150において、以前に示されたように、Vd/Vtの測定値を使用することも意図される。これは、単に追加的なルールであることができる（例えば、生理学的Vd/Vtのケースにおいて、生理学的Vd/Vt > 0.70の場合、呼吸終期のCO2値は、動脈内CO2の代用としてあまり信頼できない）。
【００４５】
本発明が、現在最も実用的で好ましい実施の形態であると考えられるものに基づいて説明を目的として詳細に説明されたが、そのような詳細は、単にその目的のためであり、本発明は、開示された実施の形態には制限されず、それどころか、添付の請求の範囲の精神及び範囲内である修正及び均等なアレンジをカバーすることを意図することが理解されるべきである。例えば、本発明は、可能な範囲で、任意の実施の形態の一つ以上の特徴が、任意の他の実施の形態の一つ以上の特徴と組み合わせられることを意図することが理解されるべきである。
【図１】
0005431971.tif 000002
【図２】
0005431971.tif 000003
【図３】
0005431971.tif 000004
【図４】
0005431971.tif 000005
【図５】
0005431971.tif 000006
【図６】
0005431971.tif 000007
【図７】
0005431971.tif 000008
【図８Ａ】
0005431971.tif 000009
【図８Ｂ】
0005431971.tif 000010
【図９Ａ】
0005431971.tif 000011
【図９Ｂ】
0005431971.tif 000012
【図１０】
0005431971.tif 000013